(57)【要約】【課題】ＡＦクラス間の優先制御としてＷＲＲ比率設定が可能で且つその際のＷＲＲ比率に０指定を許容しないルータに対して、ＬＳＰの設計を一元管理するサーバシステムから確保可能な待機を計算する場合に、未使用ＡＦクラスが存在したとしてもルータが許容するＷＲＲ比率最小値を設定する必要があり、無駄な帯域を確保してしまう。【解決手段】本来ＷＲＲ比率に０指定できないルータに対して、実際のルータへのプロビジョニングは、ＷＲＲ比率最小値を設定しているものの、設計段階で０として計算して、ＬＳＰの収容効率を向上する。【選択図】図１
2005277714.tif 000002
【特許請求の範囲】
【請求項１】
ＩＰネットワークを介してルータに接続され、該ルータのプロビジョニング機能を提供する設計部、該設計部に接続されＷＲＲ設定比率およびＬＳＰ設定基準を入力する画面制御部および前記設計部に接続され、前記設定されるＷＲＲ設定比率およびＬＳＰ設定帯域を蓄積して参照可能にするデータベース部を含むＬＳＰ設計サーバシステムの帯域確保方法において、
前記ＷＲＲ設定要求、前記ＬＳＰ設定要求及び現状設定値の取得要求に応答して、前記ＬＳＰが収容可能か否か判断し、未使用ＡＦクラスには前記ＷＲＲ設定比率を０として帯域計算することを特徴とするＬＳＰ設計サーバシステムの帯域確保方法。
【請求項２】
前記ＬＳＰ収容可否判断の結果（成功又は失敗）を、前記画面制御部に表示することを特徴とする請求項１に記載のＬＳＰ設計サーバシステムの帯域確保方法。
【請求項３】
前記ＬＳＰ収容可否判断の結果、収容可能の場合には、前記データベース部へのＬＳＰを設定し、前記ルータへのプロビジョニングを行うことを特徴とする請求項１又は２に記載のＬＳＰ設計サーバシステムの帯域確保方法。
【請求項４】
前記ルータへのプロビジョニングが完了すると、前記画面制御部にＬＳＰ設定成功を表示することを特徴とする請求項３に記載のＬＳＰ設計サーバシステムの帯域確保方法。
【請求項５】
前記ＬＳＰにおけるIngress(入口)ルータおよびEgress（出口）ルータ間の中継ルータの数（Ｎ）を変更可能にし、各ルータに対してＷＲＲ比率およびＬＳＰのプロビジョニングを可能にすることを特徴とする請求項１乃至４の何れかに記載のＬＳＰ設計サーバシステムの帯域確保方法。
【請求項６】
ＩＰネットワークに存在する各ルータのリソースをネットワークワイドで総合管理し、ＬＳＰの設計指示を行う方法であって、
画面制御部により、各ルータ毎のＷＲＲ比率の指定や、ＬＳＰ設計時のクラスや帯域指定を行うマンマシンインタフェースを提供して、その情報を設計部に通知し、
前記設計部は、前期画面制御部から要求されたAFクラス間のＷＲＲ比率をデータベース部に設定すると同時に、該当ルータに対してプロビジョニングし、その際、ＷＲＲ比率０として要求されたAFクラスに関し、データベース部に対してＷＲＲ比率０を設定する一方、対象ルータに対してＷＲＲ比率最小値をプロビジョニングすることを特徴とするＬＳＰ設計サーバシステムの帯域確保方法。
【請求項７】
前記設計部は、前記画面制御部から要求されたＬＳＰ設計指示に対し、前記データベース部から各ルータにおける要求クラスの空き帯域情報を取得し、設定可能か否かの判断を行い、設定可能であれば、前記データベース部に対してＬＳＰを設定するとともに、該当ルータに対してプロビジョニングすることを特徴とする請求項６に記載のＬＳＰ設計サーバシステムの帯域確保方法。
【発明の詳細な説明】
【技術分野】
【０００１】
本発明はDiff-serv（Differentiated Services）over
MPLS（Multiprotocol Label Switching）サービスの提供におけるＬＳＰの設計を一元管理するＬＳＰ設計サーバシステムに関し、特にその帯域確保を効率的に行うＬＳＰ設計サーバシステムの帯域確保方法に関する。
【背景技術】
【０００２】
ＬＳＰ（Label Switched Path）は、ルータ情報として名前、内部ネットワークアドレス、ノードアドレス等の情報や、リンク情報としてコスト、パケットサイズ、メディア等の情報、サービス情報としてファイルサービス、ＮＳＤ（Netware
Directory Service）、時刻同期情報等の情報および外部ルートとしてＲＩＰ／ＳＡＰネットワークの情報を含んでいる。
【０００３】
斯かる技術分野、特に重み付けラウンドロビン（Weighted Round
Robin、以下単にＷＲＲという場合がある）およびＷＲＲ技術を使用するシステム等に関する従来技術は、種々の文献に開示されている。ＡＴＭ交換機（Asynchronous
Transfer Mode Switching System）における特定ＱｏＳ（Quality of Service）クラスのトラフィックが増加した場合に、ＱｏＳバッファに滞留するセルの廃棄を極力未然に防止するバッファにおける廃棄回避システムおよび方法を開示している（例えば、特許文献１参照。）。また、任意の細かさでキューを分離し、トラフィックの保証および分離を柔軟に行うことが可能なルータ装置およびそれに用いる優先制御方法が開示されている（例えば、特許文献２参照。）。
【０００４】
【特許文献１】特開２００１−１５６７８５号公報（第５頁、第１図）
【特許文献２】特開２００２−４４１３９号公報（第４頁、第１図）
【０００５】
図５は、一般的な従来のＬＳＰ設計サーバシステムのシステム構成図を示す。このＬＳＰ設計サーバシステム１００は、画面制御部１１０、データベース部１２０および設計部１３０により構成される。そして、このＬＳＰ設計サーバシステム１００の設計部１３０は、ＩＰ（Internet Protocol）１５０を介して複数のルータ、例えばルータＡ１６０およびルータＢ１７０と接続される。この画面制御部１１０には、図示の如くＷＲＲ設定比率の入力部１１１およびＬＳＰ設定基準の入力部１１２等が表示される。
【発明の開示】
【発明が解決しようとする課題】
【０００６】
しかし、従来のＬＳＰ設計サーバシステムは、幾つかの課題を有する。先ず、画面制御部１１０におけるＷＲＲ設定比率の入力部１１１によるＷＲＲの入力における０を許容しないため、オペレータが意図するＡＦクラスのＬＳＰ収容設計が不可能である。また、設計部１３０において、ＷＲＲ設定比率０としてＬＳＰ収容計算する機能がないので、未使用ＡＦクラスを考慮した効率的なＬＳＰ収容設計が不可能であり、従って、オペレータが要求するＬＳＰ設定帯域を満たすことができない。
【０００７】
本発明は、従来技術の上述した課題に鑑みなされたものであり、ＬＳＰの設計を一元管理するＬＳＰ設計サーバシステムにおいて、ＡＦ（Assured Forwarding:パケット転送保証型）クラス間の優先制御にＷＲＲを使用し且つＷＲＲ設定比率０を許容しないルータを対象とした、ＬＳＰ設計時の帯域確保を効率化するＬＳＰ設計サーバシステムの帯域確保方法を提供することを目的とする。
【課題を解決するための手段】
【０００８】
前述の課題を解決するため、本発明によるＬＳＰ設計サーバシステムの帯域確保方法は、次のような特徴的な構成を採用している。
【０００９】
（１）ＩＰネットワークを介してルータに接続され、該ルータのプロビジョニング機能を提供する設計部、該設計部に接続されＷＲＲ設定比率およびＬＳＰ設定基準を入力する画面制御部および前記設計部に接続され、前記設定されるＷＲＲ設定比率およびＬＳＰ設定帯域を蓄積して参照可能にするデータベース部を含むＬＳＰ設計サーバシステムの帯域確保方法において、
前記ＷＲＲ設定要求、前記ＬＳＰ設定要求及び現状設定値の取得要求に応答して、前記ＬＳＰが収容可能か否か判断し、未使用ＡＦクラスには前記ＷＲＲ設定比率を０として帯域計算するＬＳＰ設計サーバシステムの帯域確保方法。
【００１０】
（２）前記ＬＳＰ収容可否判断の結果（成功又は失敗）を、前記画面制御部に表示する上記（１）のＬＳＰ設計サーバシステムの帯域確保方法。
【００１１】
（３）前記ＬＳＰ収容可否判断の結果、収容可能の場合には、前記データベース部へのＬＳＰを設定し、前記ルータへのプロビジョニングを行う上記（１）又は（２）のＬＳＰ設計サーバシステムの帯域確保方法。
【００１２】
（４）前記ルータへのプロビジョニングが完了すると、前記画面制御部にＬＳＰ設定成功を表示する上記（３）のＬＳＰ設計サーバシステムの帯域確保方法。
【００１３】
（５）前記ＬＳＰにおけるIngress(入口)ルータおよびEgress（出口）ルータ間の中継ルータの数（Ｎ）を変更可能にし、各ルータに対してＷＲＲ比率およびＬＳＰのプロビジョニングを可能にする上記（１）乃至（４）何れかのＬＳＰ設計サーバシステムの帯域確保方法。
【００１４】
（６）ＩＰネットワークに存在する各ルータのリソースをネットワークワイドで総合管理し、ＬＳＰの設計指示を行う方法であって、
画面制御部により、各ルータ毎のＷＲＲ比率の指定や、ＬＳＰ設計時のクラスや帯域指定を行うマンマシンインタフェースを提供して、その情報を設計部に通知し、
前記設計部は、前期画面制御部から要求されたＡＦクラス間のＷＲＲ比率をデータベース部に設定すると同時に、該当ルータに対してプロビジョニングし、その際、ＷＲＲ比率０として要求されたＡＦクラスに関し、データベース部に対してＷＲＲ比率０を設定する一方、対象ルータに対してＷＲＲ比率最小値をプロビジョニングするＬＳＰ設計サーバシステムの帯域確保方法。
【００１５】
（７）前記設計部は、前記画面制御部から要求されたＬＳＰ設計指示に対し、前記データベース部から各ルータにおける要求クラスの空き帯域情報を取得し、設定可能か否かの判断を行い、設定可能であれば、前記データベース部に対してＬＳＰを設定するとともに、該当ルータに対してプロビジョニングする上記（６）のＬＳＰ設計サーバシステムの帯域確保方法。
【発明の効果】
【００１６】
本発明のＬＳＰ設計サーバシステムの帯域確保方法によると、次の如き実用上の顕著な効果が得られる。即ち、ＷＲＲ設定比率における内部データと実際のルータの設定値を区別した上でＬＳＰ収容計算を行っているので、ＬＳＰの収容率を向上することが可能である。また、ＬＳＰ最大収容までの到達可否を画面制御部で知ることができるので、オーバープロビジョニングによるトラフィックへの影響（即ち、パケットロス等）を回避することが可能である。更に、ＬＳＰを設定する際のルータ数に依存しないので、ネットワーク規模におけるスケーラビリティが得られる。
【実施例１】
【００１７】
以下、本発明によるＬＳＰ設計サーバシステムの帯域確保方法の好適実施例の構成および動作を、添付図面を参照して詳細に説明する。
【００１８】
先ず、図１は、本発明によるＬＳＰ設計サーバシステムの帯域確保方法を適用するＬＳＰ設計サーバシステムおよびそれに接続されるＩＰネットワークの全体システム構成図を示す。この特定例において、ＬＳＰ設計サーバシステム１０は、画面制御部２０、データベース部３０および設計部４０を含んでいる。設計部４０は、ルータＡ６１、ルータＢ６２およびルータＣ６３を含むＩＰネットワーク５０に接続されている。そして、ＬＳＰ設計サーバシステム１０は、ＩＰネットワーク５０に存在する各ルータ６１〜６３のリソース（資源）をネットワークワイドで総合管理し、ＬＳＰの設計指示を行う。
【００１９】
画面制御部２０は、ルータ６１〜６３毎のＷＲＲ比率の指定やＬＳＰ設計時のクラスや帯域指定等を行うマンマシンインタフェースを提供し、その情報を設計部４０に通知する。設計部４０は、画面制御部２０から要求されたＡＦクラス間のＷＲＲ比率をデータベース部３０に設定すると同時に、そのルータ６１〜６３に対してプロビジョニングする。その際に、ＷＲＲ比率０として要求されたＡＦクラスに関し、データベース部３０に対してＷＲＲ比率０を設定する。一方、対象ルータ６１〜６３に対してＷＲＲ比率の最小値をプロビジョニングする。また、設計部４０は、画面制御部２０から要求されたＬＳＰ設計指示に対し、データベース部３０から各ルータ６１〜６３における要求クラスの空き帯域情報を取得し、設定可能か否かの判断を行う。設定可能であれば、データベース部３０に対してＬＳＰを設定すると同時に、そのルータ６１〜６３に対してプロビジョニングする。
【００２０】
上述の如く、本発明のＬＳＰ設計サーバシステム１０では、本来ＷＲＲ比率に０指定できないルータ６１〜６３に対して、実際のルータへのプロビジョニングはＷＲＲ比率の最小値を設定しているものの、設計段階で０として計算しているので、ＬＳＰの収容効率を向上することが可能である。
【００２１】
次に、図２は、本発明によるＬＳＰ設計サーバシステムの帯域確保方法の好適実施例の詳細な機能ブロック図である。図２に示すＬＳＰ設計サーバシステム１０において、画面制御部２０は、マンマシンインタフェースとしてＷＲＲ設定比率の入力部２１およびＬＳＰ設定帯域の入力部２２を有する。
【００２２】
設計部４０は、画面制御部２０のＷＲＲ比率設定要求に対して、データベース部３０への設定およびルータ６１、６２へのプロビジョニング機能を有する。また、設計部４０は、画面制御部２０のＬＳＰ設定要求に対して、データベース部３０から現状設定値を取得し、ＬＳＰ設定が可能か否かの判断を行う。その後、ＬＳＰ設定可能であった場合には、データベース部３０への設定およびルータ６１、６２へのプロビジョニングを行う。
【００２３】
一方、データベース部３０は、設計部４０から設定されるＷＲＲ設定比率およびＬＳＰ設定帯域を蓄積し、参照可能とする。各ルータ６１、６２は、設計部４０から要求される指示に従い、ＷＲＲ比率およびＬＳＰのプロビジョニングを可能とする。
【００２４】
以上、本発明によるＬＳＰ設計サーバシステムの帯域確保方法の実施例の詳細構成を説明した。しかし、図２中のルータ６１、６２は、当業者にとり周知であり且つ本発明とは直接関係ないので、その詳細構成は省略する。
【００２５】
次に、図３に示すタイミングチャートを参照して、本発明の好適実施例によるＬＳＰ設計サーバシステムの帯域確保方法の動作を詳細に説明する。
【００２６】
先ず、ステップＳ１において、ＷＲＲ比率設定要求が画面制御部２０から設計部４０に与えられる。すると、設計部４０は、ＷＲＲ比率設定をデータベース部３０に設定する。また、同時に、ルータ６１、６２に対してプロビジョニングを行う。図２の場合には、ルータＡ６１およびルータＢ６２共に
「ＡＦ４:ＡＦ３:ＡＦ２:ＡＦ１＝７:３:０:０」
としてプロビジョニングを行う。
【００２７】
次に、ステップＳ２において、ＬＳＰ設定要求指示が画面制御部２０から設計部４０に与えられる。そこで、設計部４０は、各ＡＦクラスのＷＲＲ比率に従ったＬＳＰ帯域上限値を求めるために、データベース部３０に対して、現状設定値取得要求を行う（ステップＳ３）。
【００２８】
次に、このステップＳ３で取得した値に基づいて、ＬＳＰ収容可能か否かの判断を行う（ステップＳ４）。図２の場合には、総帯域１００Mbpsの物理リンク回線に対して、ＷＲＲ設定比率は、
「ＡＦ４:ＡＦ３:ＡＦ２:ＡＦ１＝７:３:０:０」
であるため、実際の各ＡＦクラス設定可能帯域は、以下のとおりである。即ち、
ＡＦ４＝１００Mbps×７／１０＝７０Mbps
ＡＦ３＝１００Mbps×３／１０＝３０Mbps
ＡＦ２＝１００Mbps×０／１０＝０Mbps
ＡＦ１＝１００Mbps×０／１０＝０Mbps
となり、オペレータが要求するＬＳＰ設定帯域を充たすことができる。
【００２９】
次に、ステップＳ４の判断結果、ＬＳＰ収容可能であった場合（ステップＳ４：Ｙｅｓ）には、ステップＳ５へ移行しデータベース部３０へのＬＳＰ設定を行う（ステップＳ５）。図２の場合には、ＬＳＰ設定帯域として、ルータＡ６１およびルータＢ６２共に、
「ＡＦ４:ＡＦ３:ＡＦ２:ＡＦ１＝７０Mbps:３０Mbps:０Mbps:０Mbps」
を設定する。
【００３０】
続いて、ステップＳ６でルータへのプロビジョニングを行う。ステップＳ５と同様に、ルータＡ、Ｂ共に、
「ＡＦ４:ＡＦ３:ＡＦ２:ＡＦ１＝７０Mbps:３０Mbps:０Mbps:０Mbps」
をプロビジョニングする。その後、ステップＳ７で、ＬＳＰ設定応答(成功)を画面制御部２０に対して行い、動作を終了する。
【００３１】
一方、上述したステップＳ４の結果、ＬＳＰ収容不可能であった場合（ステップＳ４：Ｎｏ）には、ステップＳ８へ移行し、ＬＳＰ設定応答(失敗)を画面制御部２０に対して行い、動作を終了する。
【実施例２】
【００３２】
次に、図４を参照して本発明によるＬＳＰ設計サーバシステムの第２実施例を説明する。このＬＳＰ設計サーバシステムの基本的構成は上述した第１実施例と同様である。従って、対応する構成要素には、便宜上同様の参照符号を使用している。
【００３３】
しかし、第２実施例は、ＬＳＰの設定ポイントにおいて第１実施例と異なる。即ち、図４に示す如く、設定されるＬＳＰは、end-to-endでの設定を管理する。該当ＬＳＰにおけるIngressルータはルータＡ、EgressルータはルータＢ、その中継ルータとしてルータnがあったとした場合に、その中継ルータの数はＮ個のルータに変更可能であり、各ルータに対してＷＲＲ比率およびＬＳＰのプロビジョニングが可能となっている。
【００３４】
このように、第２実施例のＬＳＰ設計サーバシステムでは、ＬＳＰを設定する際のルータ数に依存しないので、ネットワーク規模におけるスケーラビリティが得られる。
【００３５】
上述した本発明のＬＳＰ設計サーバシステムの図５に示す如き従来のＬＳＰ設計サーバシステムとの違いを明らかにするために具体例に基づいて説明する。上述の如く、従来のＬＳＰ設計サーバシステムでは、画面制御部におけるＷＲＲの０が許容されないので、ＬＳＰ総帯域を１００Mbpsの物理リンク回線に対して、ＷＲＲ設定比率が上述した本発明の場合と異なり、
「ＡＦ４：ＡＦ３：ＡＦ２：ＡＦ１＝７：３：１：１」
となる。そこで、実際の各ＡＦクラス設定可能帯域は、次のようになる。
ＡＦ４＝１００Mbps×７/１２＝５８.３Mbps
ＡＦ３＝１００Mbps×３/１２＝２５Mbps
ＡＦ２＝１００Mbps×１/１２＝８.３Mbps
ＡＦ１＝１００Mbps×１/１２＝８.３Mbps
従って、上述した本発明の場合と異なり、ＡＦ４およびＡＦ３としてオペレータが要求する７０Mbpsおよび３０MbpsというＬＳＰ設定帯域を充たすことができない。
【００３６】
以上、本発明によるＬＳＰ設計サーバシステムの帯域確保方法の好適実施例の構成および動作を詳述した。しかし、斯かる実施例は、本発明の単なる例示に過ぎず、何ら本発明を限定するものではないことに留意されたい。本発明の要旨を逸脱することなく、特定用途に応じて種々の変形変更が可能であること、当業者には容易に理解できよう。
【図面の簡単な説明】
【００３７】
【図１】本発明よるＬＳＰ設計サーバシステムの帯域確保方法の全体構成を示すシステム構成図である。
【図２】本発明によるＬＳＰ設計サーバシステムの帯域確保方法の第１実施例の構成を示す図である。
【図３】図２に示す本発明によるＬＳＰ設計サーバシステムの帯域確保方法の動作を説明するフローチャートである。
【図４】本発明によるＬＳＰ設計サーバシステムの帯域確保方法の第２実施例の構成を示す図である。
【図５】従来のＬＳＰ設計サーバシステムの構成を示す図である。
【符号の説明】
【００３８】
１０  ＬＳＰ設計サーバシステム
２０  画面制御部
２１  ＷＲＲ設定比率の入力部
２２  ＬＳＰ設定基準の入力部
３０  データベース
４０  設計部
５０  ＩＰネットワーク
６１〜６３  ルータ
【図１】
2005277714.tif 000003
【図２】
2005277714.tif 000004
【図３】
2005277714.tif 000005
【図４】
2005277714.tif 000006
【図５】
2005277714.tif 000007